(57)【特許請求の範囲】
【請求項１】
開閉自在に分割された爪体（３９）（４０）を有する植付爪（１１）によって連続的に野菜苗（１４）を植付けると共に、前記植付爪（１１）の野菜苗（１４）植付位置の両側方に間隔を設けて薬剤（５６）を散布する溝切り部材（６３）を設け、また走行輪（２）を設けるミッションケース（２３）に植付出力軸（３０）を介して植付ケース（３１）を設け、植付爪（１１）及び培土ローラ（１２）を植付ケース（３１）に設ける野菜移植機において、薬剤（５６）を入れるタンク（５７）を繰出ケース（５９）に接続させ、シャッタ（６１）及び繰出カム（６２）を繰出ケース（５９）に設け、植付出力軸（３０）の出力によって繰出カム（６２）を回転させてシャッタ（６１）を開動させると共に、前記ミッションケース（２３）に溝切り部材（６３）を設けることを特徴とする野菜移植機。
【発明の詳細な説明】
【０００１】
【産業上の利用分野】
本発明は苗載台から取出した野菜苗を植付爪によって圃場に植付ける野菜移植機に関する。
【０００２】
【従来の技術】
従来、開閉自在に分割された爪体を有するホッパ形の植付爪を設け、野菜苗を植付爪内部に入れ、植付爪下端を土中に突入させ、爪体を開動させ、畦上面に孔を形成して孔の中に野菜苗を落下させ、野菜苗を連続的に植付ける技術があった。
【０００３】
【発明が解決しようとする課題】
しかし乍ら、前記従来技術は、野菜苗を移植した後、防虫剤などの薬剤を既植苗の株元近くに散布する作業を行っていたから、野菜苗移植作業の省力化を容易に行い得なかった。また、野菜苗の移植前に畦上面の植付位置に薬剤を散布すると、植付爪の開孔動作によって薬剤が飛散して薬剤の効力が低下する不具合があると共に、植付爪内部に野菜苗を入れるときに薬剤も入れると、苗の根に薬剤が付着して薬害を生じる不具合がある。
【０００４】
【課題を解決するための手段】
然るに、本発明は、開閉自在に分割された爪体を有する植付爪によって連続的に野菜苗を植付けると共に、前記植付爪の野菜苗植付位置の両側方に間隔を設けて薬剤を散布する溝切り部材を設け、また走行輪を設けるミッションケースに植付出力軸を介して植付ケースを設け、植付爪及び培土ローラを植付ケースに設ける野菜移植機において、薬剤を入れるタンクを繰出ケースに接続させ、シャッタ及び繰出カムを繰出ケースに設け、植付出力軸の出力によって繰出カムを回転させてシャッタを開動させると共に、前記ミッションケースに溝切り部材を設けるもので、薬剤が飛散して効力が低下する不具合、並びに薬害を生じる不具合などを容易になくし得、薬効を十分に発揮させ得るものである。
【０００５】
【実施例】
以下、本発明の実施例を図面に基づいて詳述する。図１は野菜苗植付け説明図、図２は全体の側面図、図３は同平面図であり、左右一対の前後走行輪（１）（１）（２）（２）を装設させ、ボンネット（３）前部にエンジン（４）を内設させると共に、ボンネット（３）後部両側に予備苗台（５）（５）を取付ける。また、前記ボンネット（３）後方に操向ハンドル（６）を延設させ、該ハンドル（６）の中間部上側に苗載台（７）を左右往復動自在に取付けると共に、畦（８）上面に転動させる鎮圧ローラ（９）と、箸形取出爪（１０）と、ホッパ形植付爪（１１）と、培土ローラ（１２）を配設させ、苗載台（７）上の苗トレイ（１３）から取出爪（１０）によって１株分のポット形苗（１４）を取出して植付爪（１１）に投入し、また鎮圧ローラ（９）によって均した畦（８）上面に植付爪（１１）の苗（１４）を植付け、培土ローラ（１２）によって苗（１４）の根元を覆土するもので、１条分の苗（１４）を連続的に植付けるように構成している。
【０００６】
なお、（１５）は昇降レバー、（１６）は植付クラッチレバー、（１７）は走行変速レバー、（１８）は株間変速レバー、（１９）は植付深さ調節レバー、（２０）は左右サイドクラッチレバー、（２１）は走行クラッチレバーである。
【０００７】
さらに、図４、図５に示す如く、前記エンジン（４）を機台（２２）に搭載させ、機台（２２）後端にミッションケース（２３）を固定させ、機台（２２）及びミッションケース（２３）に操向ハンドル（６）前端を固定させると共に、左右車軸ケース（２４）（２４）と揺動自在な左右の後アクスルフレーム（２５）（２５）を介してミッションケース（２３）両側方に後走行輪（２）（２）を設け、各ケース（２３）（２４）（２５）を介してエンジン（４）出力を後走行輪（２）に伝達し、後走行輪（２）を駆動するように構成している。また、左右の前アクスルフレーム（２６）（２６）を機台（２２）両側に揺動自在に軸支させ、左右の前アクスルフレーム（２６）（２６）に左右の前走行輪（１）（１）を回転自在に遊転軸支させている。
【０００８】
また、前記ミッションケース（２３）上側にリフトシリンダ（２７）及びローリングシリンダ（２８）を設け、左右スイングロッド（２９）（２９）などを介して左右の前後アクスルフレーム（２５）（２５）（２６）（２６）に前記シリンダ（２７）（２８）を連結させ、リフトシリンダ（２７）を作動させることにより、全アクスルフレーム（２５）（２６）の同一方向揺動によって機台（２２）を含む本機を昇降させ、本機部分の地上高調節を行うと共に、ローリングシリンダ（２８）の動作により、左右のアクスルフレーム（２５）（２６）を互に逆方向に揺動させ、機台（２２）を左右に傾斜させ、本機部分の左右傾斜調節を行うように構成している。
【０００９】
さらに、図６、図７、図８に示す如く、前記ミッションケース（２３）に植付出力軸（３０）を介して植付ケース（３１）を上下方向に揺動自在に取付け、植付ケース（３１）にガードフレーム（３２）を一体固定させ、ガードフレーム（３２）にゲージフレーム（３３）を介して培土ローラ（１２）を昇降自在に取付け、植付深さ調節レバー（１９）を介して培土ローラ（１２）を高さ調節自在に支持させる。また、ロータリケース（３４）及びクランクアーム（３５）及び植付アーム（３６）を介して植付ケース（３１）に植付爪（１１）を取付け、植付駆動軸（３７）回りにロータリケース（３４）を回転させ、クランクアーム（３５）を介してレール（３８）に沿って植付アーム（３６）を前後揺動させ乍ら昇降させ、植付爪（１１）を楕円形状の植付け軌跡で上下運動させると共に、開閉自在に分割された半円錐形状の２つの爪体（３９）（４０）によって植付爪（１１）を形成し、クランクアーム（３５）のカム（４１）とロッド（４２）を介してロータリケース（３４）の１回転中に植付爪（１１）が下降したときに各爪体（３９）（４０）を前後に開動させ、畦（８）上面に開孔を形成させ、各爪体（３９）（４０）内部の野菜苗（１４）を畦（８）の開孔に落下させるように構成している。
【００１０】
また、ロータリケース（４３）及びクランクアーム（４４）及び取出アーム（４５）を介して取出爪（１０）を支持させ、取出駆動軸（４６）回りにロータリケース（４３）を回転させ、苗載台（７）から１株分の野菜苗（１４）を取出す取出爪（１０）の苗取出動作並びに上昇位置の植付爪（１１）内部に１株分の野菜苗を入れる取出爪（１０）の苗供給動作を連続して行わせると共に、苗載台（７）の横送り往復動作並びに苗マット（１３）縦送り動作を行わせる苗台駆動軸（４７）と前記取出駆動軸（４６）にチェン（４８）を介して植付クラッチ軸（４９）を連結させ、無段変速プーリ（５０）及び植付クラッチ（５１）を介してミッションケース（２３）からの駆動力をクラッチ軸（４９）に伝えるように構成している。
【００１１】
さらに、前記植付出力軸（３０）に植付駆動力を伝える１回転クラッチ（５２）を設け、１回転クラッチ（５２）を入切する１回転クラッチカム（５３）にタイミングロッド（５４）を介して植付クラッチ軸（４９）のタイミングカム（５５）を連結させ、苗取出爪（１０）の１回の苗取出動作により各カム（５５）（５３）を介して１回転クラッチ（５２）を作動させて植付出力軸（３０）を１回転させ、苗取出爪（１０）の苗取出動作に同期させて植付爪（１１）の苗植付動作を行わせるように構成している。
【００１２】
さらに、図１、図２、図３、図６、図７、図９、図１０に示す如く、粒状または粉状の防虫剤などの薬剤（５６）を入れるタンク（５７）をボンネット（３）上面に搭載させると共に、二叉形の散布口（５８）（５８）を有する繰出ケース（５９）を前記植付ケース（３１）に固定させ、タンク（５７）出口を繰出ケース（５９）入口に搬送ホース（６０）を介して接続させるもので、搬送ホース（６０）出口を閉塞するシャッタ（６１）及び繰出カム（６２）を繰出ケース（５９）に内設させ、繰出カム（６２）を前記植付出力軸（３７）に固定させ、繰出カム（６２）の１回転でシャッタ（６１）を開動させ、搬送ホース（６０）出口を開放させて薬剤（５６）を散布口（５８）（５８）に送出させるように構成している。また、前記ミッションケース（２３）に左右溝切り部材（６３）（６３）を固定させると共に、左右溝切り部材（６３）（６３）の溝形成部に前記の左右散布口（５８）（５８）を臨ませ、搬送ホース（６０）を介してタンク（５７）から搬出する薬剤（５６）をシャッタ（６１）により定量送出させ、シャッタ（６１）下方に落下する薬剤（５６）を左右散布口（５８）（５８）に分配し、左右溝切り部材（６３）（６３）によって形成する溝（６４）（６４）内部に薬剤（５６）（５６）を投入させるように構成している。
【００１３】
なお、前記薬剤（５６）に代え、粒状または粉状の肥料をタンク（５７）に入れ、薬剤（５６）と同様に、タンク（５７）の肥料を溝切り部材（６３）の溝（６４）に投入させてもよいと共に、薬剤（５６）と肥料の混合物を前記タンク（５７）に入れて畦（８）の溝（６４）にその混合物を投入させてもよい。
【００１４】
さらに、前記植付爪（１１）を配置させる機体中心線に対して左右方向に離れた対称位置に左右溝切り部材（６３）（６３）を配置させ、前記の左右培土ローラ（１２）（１２）取付け間隔と左右溝切り部材（６３）（６３）取付け間隔を略等しくし、培土ローラ（１２）接地部前方で植付爪（１１）の苗植付位置側方に薬剤（５６）を散布させると共に、既植苗（１４）の間隔と薬剤（５６）の進行方向の散布間隔を略等しくし、かつ植付爪（１１）の苗植付動作とシャッタ（６１）の開動を同期させ、既植苗（１４）の略真横に薬剤（５６）を間欠的に散布させるもので、薬剤（５６）使用量の低減並びに薬剤（５６）の効力維持を図ると共に、植付爪（１１）の苗植付動作によって爪体（３９）（４０）が前後に開動しても、溝（５６）に投入された薬剤（５６）が爪体（３９）（４０）によって飛散されることがなく、また既植苗（１４）の根に薬剤（５６）が接触して薬害を生じることもなく、さらに溝（６４）内部に投入された薬剤（５６）が培土ローラ（１２）によって鎮圧されて畦（８）上面の表層部に固定され、風などによって薬剤（５６）が飛散するのを防ぎ、しかも溝（６４）内部に薬剤（５６）を散布することにより、薬剤（５６）が培土ローラ（１２）周面に付着して散布位置以外の場所に移動するのを防止できる。
【００１５】
上記のように、開閉自在に分割された爪体（３９）（４０）を有する植付爪（１１）によって連続的に野菜苗（１４）を植付ける野菜移植機において、前記植付爪（１１）の野菜苗（１４）植付位置の両側方に間隔を設けて薬剤（５６）（５６）を散布する溝切り部材（６３）（６３）を設け、野菜苗（１４）植付位置両側に溝切り部材（６３）（６３）を介して薬剤（５６）（５６）を散布させるから、野菜苗（１４）の移植と同時に薬剤（５６）の散布が行われ、野菜苗（１４）移植作業後に薬剤（５６）散布作業を別に行う必要がないと共に、野菜苗（１４）植付位置と両側の薬剤（５６）（５６）散布位置の間に間隔を設け、植付爪（１１）によって薬剤（５６）が飛散して効力が低下する不具合、並びに野菜苗（１４）の根に薬剤（５６）が付着して薬害を生じる不具合などをなくしている。
【００１６】
さらに、図１１は他の実施例を示すもので、前記シャッタ（６１）及び繰出カム（６２）に代え、繰出ローラ（６５）及びクランクロッド（６６）を設け、タンク（５７）出口に繰出ローラ（６５）を取付け、植付出力軸（３０）に繰出ローラ（６５）をクランクロッド（６６）によって連結させ、植付爪（１１）の苗植付動作と同期させてこの一動作によって繰出ローラ（６５）を１回転させ、タンク（５７）の肥料を搬送ホース（６０）に繰出ローラ（６５）から定量送出させ、搬送ホース（６０）及び二叉形散布口（５８）（５８）を介して溝切り部材（６３）（６３）の溝（６４）（６４）に薬剤（５６）（５６）を投入させることも行える。なお、植付出力軸（３０）を中心に行わせる前記植付ケース（３１）のフローティング（揺動）動作を円滑に行わせるべく、前記クランクロッド（６６）の途中をプッシュワイヤ（図示省略）などによって連結させている。また、前記植付出力軸（３０）の回転を電気的に検出して電動モータによって繰出ローラ（６５）を回転させることも行える。
【００１７】
【発明の効果】
以上実施例から明らかなように本発明は、開閉自在に分割された爪体（３９）（４０）を有する植付爪（１１）によって連続的に野菜苗（１４）を植付けると共に、前記植付爪（１１）の野菜苗（１４）植付位置の両側方に間隔を設けて薬剤（５６）を散布する溝切り部材（６３）を設け、また走行輪（２）を設けるミッションケース（２３）に植付出力軸（３０）を介して植付ケース（３１）を設け、植付爪（１１）及び培土ローラ（１２）を植付ケース（３１）に設ける野菜移植機において、薬剤（５６）を入れるタンク（５７）を繰出ケース（５９）に接続させ、シャッタ（６１）及び繰出カム（６２）を繰出ケース（５９）に設け、植付出力軸（３０）の出力によって繰出カム（６２）を回転させてシャッタ（６１）を開動させると共に、前記ミッションケース（２３）に溝切り部材（６３）を設けるもので、薬剤（５６）が飛散して効力が低下する不具合、並びに薬害を生じる不具合などを容易になくすことができ、薬効を十分に発揮させることができるものである。
【図面の簡単な説明】
【図１】野菜苗植付け説明図。
【図２】全体の側面図。
【図３】同平面図。
【図４】ミッションケース部の側面図。
【図５】同平面図。
【図６】植付ケース部の側面図。
【図７】同平面図。
【図８】植付駆動系統図。
【図９】薬剤散布説明図。
【図１０】培土ローラの説明図。
【図１１】他の実施例を示す薬剤散布説明図。
【符号の説明】
（１１）植付爪
（１４）野菜苗
（３９）（４０）爪体
（５６）薬剤
（６３）溝切り部材
【図１】
0003569345.tif 000002
【図２】
0003569345.tif 000003
【図３】
0003569345.tif 000004
【図４】
0003569345.tif 000005
【図５】
0003569345.tif 000006
【図６】
0003569345.tif 000007
【図７】
0003569345.tif 000008
【図８】
0003569345.tif 000009
【図９】
0003569345.tif 000010
【図１０】
0003569345.tif 000011
【図１１】
0003569345.tif 000012